(57)【要約】【課題】本発明は廃棄に便利な使い捨てマスクを開示した。【解決手段】染色層を含み、前記染色層の頂端頂端には固定ブロックが左右対称的に固定的に設けられ、前記染色層の底端にはフィルタリング層が固定的に設けられ、前記フィルタリング層の底端には裏付きが固定的に設けられ、本発明の廃棄に便利な使い捨てマスクは操作が簡単で明らかで、反応が鋭敏で、安全で信頼性があり、同時に、本発明の装置は機能が多様で、効果が顕著であり、実用性が強い。【選択図】図１
2020147882.tif 000002
【特許請求の範囲】
【請求項１】
染色層を含み、前記染色層の頂端頂端には固定ブロックが左右対称的に固定的に設けられ、前記染色層の底端にはフィルタリング層が固定的に設けられ、前記フィルタリング層の底端には裏付きが固定的に設けられ、前記フィルタリング層の両端には耳紐が固定的に設けられ、前記染色層と前記フィルタリング層の中には上方に開口した第一空きチャンバが設けられ、前記第一空きチャンバの前後には固定軸が固定的に設けられ、前記固定軸には円環が前後対称的に回転できるように設けられ、後端の前記円環と左端の前記固定ブロックとの間には第一サポートロッドが固定的に接続され、前端の前記円環と右端の前記固定ブロックとの間には第二サポートロッドが固定的に接続され、前記円環の間には歯車が設けられ、前記歯車が前記第一空きチャンバから差し出ており、前記固定ブロックの中には第一スライド溝が設けられ、前記第一スライド溝のうち前記固定軸の中心に近接する側にはには第二空きチャンバが連通して設けられ、前記第二空きチャンバが前記第一空きチャンバと連通し、前記第一スライド溝中にはスライドロッドがスライドできるように設けられ、前記スライドロッドの底端には前記歯車と噛み合うラックが固定的に設けられ、前記第一スライド溝の頂端頂端には第二スライド溝が連通して設けられ、前記第二スライド溝の中には第一スライダーがスライドできるように設けられ、第一スライダーと前記スライドロッドが固定的に接続され、前記第一スライダーと前記第二スライド溝の端面との間には第一バネが固定的に接続され、前記固定ブロックにおいて前記第一スライド溝の末端には回転チャンバが連通して設けられ、前記回転チャンバの中には回転軸が回転できるように設けられ、前記回転軸と前記回転チャンバの後側端面との間にはトーションバネが固定的に接続され、前記回転軸には円盤と糸巻き車が固定的に設けられ、前記糸巻き車と前記スライドロッドとの間には鋼線が接続され、前記円盤には扇形ブレードが固定的に設けられ、前記回転チャンバの頂端には第三空きチャンバが連通して設けられ、第三空きチャンバの頂端にはソフト袋が固定的に設けられ、前記第三空きチャンバの右端には第三スライド溝が連通して設けられ、前記第三スライド溝の中には第二スライダーがスライドできるように設けられ、前記第二スライダーと前記ソフト袋との間には染色剤が設置され、前記第三スライド溝の底端には第四スライド溝が連通して設けられ、前記第四スライド溝の中には第三スライダーがスライドできるように設けられ、前記第三スライダーは前記第二スライダーが固定的に接続され、前記第三スライダーと前記第四スライド溝の端面との間には第二バネが固定的に接続され、前記スライドロッドの末端には上方に開口した位置制限溝が固定的に設けられ、前記位置制限溝の頂端には第五スライド溝が連通して設けられ、前記第五スライド溝の中には第四スライダーがスライドできるように設けられ、前記第四スライダーが前記位置制限溝の内部に伸びており、前記第四スライダーと前記第二スライダーとの間には液圧パイプが伝動できるように設けられ、したがって、マスクを広げ、扇形ブレードを回転連動させ、扇形ブレードはソフト袋を切り、染色剤が流れ出すことを特徴とする廃棄に便利な使い捨てマスク。
【請求項２】
前記固定ブロックの底端には下方に開口した染色溝が設けられ、前記染色溝と前記回転チャンバとの間には通し溝が連通し、前記通し溝のうち前記固定軸の中心に近接する側には第六スライド溝が設けられ、第六スライド溝が前記第一スライド溝と連通し、前記第六スライド溝の中には凸ロッドがスライドできるように設けられ、前記凸ロッドと前記第六スライド溝の底面との間には第三バネが固定的に接続され、前記スライドロッドの底端には下方に開口した凹溝が設けられ、前記凸ロッドは前記凹溝の中に伸びており、マスクが再び折り畳まれ、凸ロッドは凹溝の中に伸びることができ、そしてマスクは折り畳まれた位置に位置決めされることを特徴とする請求項１に記載の廃棄に便利な使い捨てマスク。
【請求項３】
前記第二スライド溝の片側には塩酸袋が固定的に設けられ、前記塩酸袋の底端には染色溝と連通した針孔が設けられ、前記針孔の片側には第七スライド溝が連通して設けられ、前記第七スライド溝の中には第五スライダーがスライドできるように設けられ、前記第五スライダーが前記針孔の中に伸びており、第五スライドダーの一端には針管が固定的に設けられ、前記第五スライドダーと前記第七スライド溝の上端壁との間には第四バネが固定的に接続され、したがって、折り畳み位置で再び内側に折り畳まれたとき、スライドロッドは針管を閉じず、針管は塩酸袋を上方に突き刺すことを特徴とする請求項１に記載の廃棄に便利な使い捨てマスク。
【発明の詳細な説明】
【技術分野】
【０００１】
本発明は防護用品分野を取り上げて、具体的には廃棄に便利な使い捨てマスクである。
【背景技術】
【０００２】
病院の集中治療室などで、マスクを使っている患者のほとんどが深刻な病気にかかっているため、使用したマスクを普通の患者のと区別して、単独で２回消毒などの操作を行わなければならないため、簡単な区分とマークが必要である；また、不法者がマスク内の裏地を回収するのを防ぐため、マスクに簡単な自壊機能を持たせる必要がある；したがって、廃棄に便利な使い捨てマスクをデザインして上記の問題を解決する必要があります。
【先行技術文献】
【特許文献】
【０００３】
【特許文献１】中国特許出願公開第１０８１３５２９９号明細書
【発明の概要】
【発明が解決しようとする課題】
【０００４】
本発明の解決すべきの問題は廃棄に便利な使い捨てマスクを提供し、上記の現有技術の欠点を解決する。
【課題を解決するための手段】
【０００５】
本発明の廃棄に便利な使い捨てマスクは、染色層を含み、前記染色層の頂端頂端には固定ブロックが左右対称的に固定的に設けられ、前記染色層の底端にはフィルタリング層が固定的に設けられ、前記フィルタリング層の底端には裏付きが固定的に設けられ、前記フィルタリング層の両端には耳紐が固定的に設けられ、前記染色層と前記フィルタリング層の中には上方に開口した第一空きチャンバが設けられ、前記第一空きチャンバの前後には固定軸が固定的に設けられ、前記固定軸には円環が前後対称的に回転できるように設けられ、後端の前記円環と左端の前記固定ブロックとの間には第一サポートロッドが固定的に接続され、前端の前記円環と右端の前記固定ブロックとの間には第二サポートロッドが固定的に接続され、前記円環の間には歯車が設けられ、前記歯車が前記第一空きチャンバから差し出ており、前記固定ブロックの中には第一スライド溝が設けられ、前記第一スライド溝のうち前記固定軸の中心に近接する側にはには第二空きチャンバが連通して設けられ、前記第二空きチャンバが前記第一空きチャンバと連通し、前記第一スライド溝中にはスライドロッドがスライドできるように設けられ、前記スライドロッドの底端には前記歯車と噛み合うラックが固定的に設けられ、前記第一スライド溝の頂端頂端には第二スライド溝が連通して設けられ、前記第二スライド溝の中には第一スライダーがスライドできるように設けられ、第一スライダーと前記スライドロッドが固定的に接続され、前記第一スライダーと前記第二スライド溝の端面との間には第一バネが固定的に接続され、前記固定ブロックにおいて前記第一スライド溝の末端には回転チャンバが連通して設けられ、前記回転チャンバの中には回転軸が回転できるように設けられ、前記回転軸と前記回転チャンバの後側端面との間にはトーションバネが固定的に接続され、前記回転軸には円盤と糸巻き車が固定的に設けられ、前記糸巻き車と前記スライドロッドとの間には鋼線が接続され、前記円盤には扇形ブレードが固定的に設けられ、前記回転チャンバの頂端には第三空きチャンバが連通して設けられ、第三空きチャンバの頂端にはソフト袋が固定的に設けられ、前記第三空きチャンバの右端には第三スライド溝が連通して設けられ、前記第三スライド溝の中には第二スライダーがスライドできるように設けられ、前記第二スライダーと前記ソフト袋との間には染色剤が設置され、前記第三スライド溝の底端には第四スライド溝が連通して設けられ、前記第四スライド溝の中には第三スライダーがスライドできるように設けられ、前記第三スライダーは前記第二スライダーが固定的に接続され、前記第三スライダーと前記第四スライド溝の端面との間には第二バネが固定的に接続され、前記スライドロッドの末端には上方に開口した位置制限溝が固定的に設けられ、前記位置制限溝の頂端には第五スライド溝が連通して設けられ、前記第五スライド溝の中には第四スライダーがスライドできるように設けられ、前記第四スライダーが前記位置制限溝の内部に伸びており、前記第四スライダーと前記第二スライダーとの間には液圧パイプが伝動できるように設けられる。
【０００６】
有益的には前記固定ブロックの底端には下方に開口した染色溝が設けられ、前記染色溝と前記回転チャンバとの間には通し溝が連通し、前記通し溝のうち前記固定軸の中心に近接する側には第六スライド溝が設けられ、第六スライド溝が前記第一スライド溝と連通し、前記第六スライド溝の中には凸ロッドがスライドできるように設けられ、前記凸ロッドと前記第六スライド溝の底面との間には第三バネが固定的に接続され、前記スライドロッドの底端には下方に開口した凹溝が設けられ、前記凸ロッドは前記凹溝の中に伸びることができる。
【０００７】
有益的には前記第二スライド溝の片側には塩酸袋が固定的に設けられ、前記塩酸袋の底端には染色溝と連通した針孔が設けられ、前記針孔の片側には第七スライド溝が連通して設けられ、前記第七スライド溝の中には第五スライダーがスライドできるように設けられ、前記第五スライダーが前記針孔の中に伸びており、第五スライドダーの一端には針管が固定的に設けられ、前記第五スライドダーと前記第七スライド溝の上端壁との間には第四バネが固定的に接続される。
【発明の効果】
【０００８】
本発明の有益な効果は下記の通りである：
【０００９】
本発明の廃棄に便利な使い捨てマスクは操作が簡単で明らかで、反応が鋭敏で、安全で信頼性があり、同時に、本発明の装置は機能が多様で、効果が顕著であり、実用性が強い。
【図面の簡単な説明】
【００１０】
説明しやすいため、本発明は以下の具体的な実施例と付図を交え詳しく説明する。
【００１１】
【図１】図１は本発明の廃棄に便利な使い捨てマスクの全体結構模式図であり；
【図２】図２は図１の俯瞰結構模式図であり；
【図３】図３は図１の「Ａ」の拡大結構模式図であり；
【発明を実施するための形態】
【００１２】
以下に図１−３を交えて本発明について詳しく説明し、便利に叙述するため、現在は後文に出る方位を下記の通りに規定する：後文に出る上下左右前後方向は図１本体の投影関係の上下左右前後方向と一致する。
【００１３】
図１−３に示すように、本発明の廃棄に便利な使い捨てマスクは、染色層１２を含み、前記染色層１２の頂端頂端には固定ブロック１０が左右対称的に固定的に設けられ、前記染色層１２の底端にはフィルタリング層１３が固定的に設けられ、前記フィルタリング層１３の底端には裏付き１４が固定的に設けられ、前記フィルタリング層１３の両端には耳紐１１が固定的に設けられ、前記染色層１２と前記フィルタリング層１３の中には上方に開口した第一空きチャンバ５７が設けられ、前記第一空きチャンバ５７の前後には固定軸１７が固定的に設けられ、前記固定軸１７には円環５５が前後対称的に回転できるように設けられ、後端の前記円環５５と左端の前記固定ブロック１０との間には第一サポートロッド５６が固定的に接続され、前端の前記円環５５と右端の前記固定ブロック１０との間には第二サポートロッド５８が固定的に接続され、前記円環５５の間には歯車１８が設けられ、前記歯車１８が前記第一空きチャンバ５７から差し出ており、前記固定ブロック１０の中には第一スライド溝４９が設けられ、前記第一スライド溝４９のうち前記固定軸１７の中心に近接する側にはには第二空きチャンバ１９が連通して設けられ、前記第二空きチャンバ１９が前記第一空きチャンバ５７と連通し、前記第一スライド溝４９中にはスライドロッド１５がスライドできるように設けられ、前記スライドロッド１５の底端には前記歯車１８と噛み合うラック１６が固定的に設けられ、前記第一スライド溝４９の頂端頂端には第二スライド溝３７が連通して設けられ、前記第二スライド溝３７の中には第一スライダー３５がスライドできるように設けられ、第一スライダー３５と前記スライドロッド１５が固定的に接続され、前記第一スライダー３５と前記第二スライド溝３７の端面との間には第一バネ３６が固定的に接続され、前記固定ブロック１０において前記第一スライド溝４９の末端には回転チャンバ４２が連通して設けられ、前記回転チャンバ４２の中には回転軸４８が回転できるように設けられ、前記回転軸４８と前記回転チャンバ４２の後側端面との間にはトーションバネ４５が固定的に接続され、前記回転軸４８には円盤４３と糸巻き車４４が固定的に設けられ、前記糸巻き車４４と前記スライドロッド１５との間には鋼線４７が接続され、前記円盤４３には扇形ブレード４０が固定的に設けられ、前記回転チャンバ４２の頂端には第三空きチャンバ４１が連通して設けられ、第三空きチャンバ４１の頂端にはソフト袋３８が固定的に設けられ、前記第三空きチャンバ４１の右端には第三スライド溝５４が連通して設けられ、前記第三スライド溝５４の中には第二スライダー５３がスライドできるように設けられ、前記第二スライダー５３と前記ソフト袋３８との間には染色剤３９が設置され、前記第三スライド溝５４の底端には第四スライド溝５０が連通して設けられ、前記第四スライド溝５０の中には第三スライダー５１がスライドできるように設けられ、前記第三スライダー５１は前記第二スライダー５３が固定的に接続され、前記第三スライダー５１と前記第四スライド溝５０の端面との間には第二バネ５２が固定的に接続され、前記スライドロッド１５の末端には上方に開口した位置制限溝３０が固定的に設けられ、前記位置制限溝３０の頂端には第五スライド溝３１が連通して設けられ、前記第五スライド溝３１の中には第四スライダー３２がスライドできるように設けられ、前記第四スライダー３２が前記位置制限溝３０の内部に伸びており、前記第四スライダー３２と前記第二スライダー５３との間には液圧パイプ３３が伝動できるように設けられる。
【００１４】
有益的には前記固定ブロック１０の底端には下方に開口した染色溝２５が設けられ、前記染色溝２５と前記回転チャンバ４２との間には通し溝４６が連通し、前記通し溝４６のうち前記固定軸１７の中心に近接する側には第六スライド溝２６が設けられ、第六スライド溝２６が前記第一スライド溝４９と連通し、前記第六スライド溝２６の中には凸ロッド２８がスライドできるように設けられ、前記凸ロッド２８と前記第六スライド溝２６の底面との間には第三バネ２７が固定的に接続され、前記スライドロッド１５の底端には下方に開口した凹溝２９が設けられ、前記凸ロッド２８は前記凹溝２９の中に伸びることができる。
【００１５】
有益的には前記第二スライド溝３７の片側には塩酸袋３４が固定的に設けられ、前記塩酸袋３４の底端には染色溝２５と連通した針孔２０が設けられ、前記針孔２０の片側には第七スライド溝２４が連通して設けられ、前記第七スライド溝２４の中には第五スライダー２２がスライドできるように設けられ、前記第五スライダー２２が前記針孔２０の中に伸びており、第五スライドダー２２の一端には針管２１が固定的に設けられ、前記第五スライドダー２２と前記第七スライド溝２４の上端壁との間には第四バネ２３が固定的に接続される。
【００１６】
次は、図１−３および上記に記述された本願発明の簡単な破棄された使い捨てマスクの具体的な構成を参考にし、その使用方法を詳しく紹介する。
【００１７】
まず、初期状態では、左右対称的な固定ブロック１０が縦且つ平行な状態にあり、スライドロッド１５は第一スライド溝４９から差し出ており、マスクは折り畳み状態にある。
【００１８】
使い捨てマスクを使うとき、マスクを広げると、固定ブロック１０が互いに接近して接触し、ラック１６は歯車１８の外周に沿って回転し、歯車１８がラック１６を第一スライド溝４９の中に収縮させ、ラック１６はスライドロッド１５を連動させて第一スライド溝４９の中に縮ませ、第一スライド溝４９が鋼線４７を引っ張らなくなり、回転軸４８はトーションバネ４５によって回転し始め、回転軸４８は円盤４３を回転連動させ、円盤４３は扇形ブレード４０を回転連動させ、扇形ブレード４０が回転してソフト袋３８を切り込み、ソフト袋３８が切られて破った後、染色剤３９が流れ出て通し溝を通して染色槽２５に流れ込み、染色溝２５における染色剤３９が染色層１２に進入して染色し、それと同時に、染色剤３９が流れ出た後、第二スライダー５３は第二バネ５２の弾力によってスライドし、第二スライダー５３は液圧パイプ３３を通して第四スライダー３２を連動させて第五スライド溝の中に縮ませ、制限溝３０と第四スライダー３２はスライドロッド１５のスライド範囲を制限しなくなる。
【００１９】
しばらく使い捨てマスクを使わないときは、スライドロッド１５が第一スライド溝４９から差出て、凹溝２９は第六スライド溝２６と連通し、凸ロッド２８は凹溝２９の中に伸びており、スライドロッド１５は針孔２０を封閉し、使い捨てマスクは折りたたみ状態です。
【００２０】
使い捨てマスクを捨てる時は、マスクは一回広げられていたため、位置制限溝３０と第四スライダー３２はスライダー１５のスライド範囲を制限しなくなり、折りたたみ状態のマスクが再び内に向いて折り畳まれる時、スライドロッド１５は第三バネ２７を第六スライド溝２６の内に押し込み、スライドロッド１５は外により多くな距離を差し出て、スライドロッド１５は針孔２０を封閉しなくなり、  針管２１は第四バネ２３の弾性力によって上へスライドし、針管２１が塩酸袋３４を突き破り、希塩酸は針孔２０と染色溝２５を通して染色層１２とフィルタリング層１３の中に入り、簡単な消毒と破棄を行う。
【００２１】
上記のように、本発明の廃棄に便利な使い捨てマスクは操作が簡単で明らかで、反応が鋭敏で、安全で信頼性があり、同時に、本発明の装置は機能が多様で、効果が顕著であり、実用性が強い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。
【図１】
2020147882.tif 000003
【図２】
2020147882.tif 000004
【図３】
2020147882.tif 000005
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
染色層を含み、前記染色層の頂端には固定ブロックが左右対称的に固定的に設けられ、前記染色層の底端にはフィルタリング層が固定的に設けられ、前記フィルタリング層の底端には裏付きが固定的に設けられ、前記フィルタリング層の両端には耳紐が固定的に設けられ、前記染色層と前記フィルタリング層の中には上方に開口した第一空きチャンバが設けられ、前記第一空きチャンバの前後には固定軸が固定的に設けられ、前記固定軸には円環が前後対称的に回転できるように設けられ、後端の前記円環と左端の前記固定ブロックとの間には第一サポートロッドが固定的に接続され、前端の前記円環と右端の前記固定ブロックとの間には第二サポートロッドが固定的に接続され、前記円環の間には歯車が設けられ、前記歯車が前記第一空きチャンバから差し出ており、前記固定ブロックの中には第一スライド溝が設けられ、前記第一スライド溝のうち前記固定軸の中心に近接する側には第二空きチャンバが連通して設けられ、前記第二空きチャンバが前記第一空きチャンバと連通し、前記第一スライド溝中にはスライドロッドがスライドできるように設けられ、前記スライドロッドの底端には前記歯車と噛み合うラックが固定的に設けられ、前記第一スライド溝の頂端には第二スライド溝が連通して設けられ、前記第二スライド溝の中には第一スライダーがスライドできるように設けられ、第一スライダーと前記スライドロッドが固定的に接続され、左側の前記第一スライダーの右側端面と左側の前記第二スライド溝の右側内壁との間と、右側の前記第一スライダーの左側内壁と前記第二スライド溝の左側内壁との間にはいずれも第一バネが設置され、前記固定ブロックにおいて前記第一スライド溝の末端には回転チャンバが連通して設けられ、前記回転チャンバの中には回転軸が回転できるように設けられ、前記回転軸と前記回転チャンバの後側端面との間にはトーションバネが固定的に接続され、前記回転軸には円盤と糸巻き車が固定的に設けられ、前記糸巻き車と前記スライドロッドとの間には鋼線が接続され、前記円盤には扇形ブレードが固定的に設けられ、前記回転チャンバの頂端には第三空きチャンバが連通して設けられ、第三空きチャンバの頂端にはソフト袋が固定的に設けられ、前記第三空きチャンバの右端には第三スライド溝が連通して設けられ、前記第三スライド溝の中には第二スライダーがスライドできるように設けられ、前記第二スライダーと前記ソフト袋との間には染色剤が設置され、前記第三スライド溝の底端には第四スライド溝が連通して設けられ、前記第四スライド溝の中には第三スライダーがスライドできるように設けられ、前記第三スライダーは前記第二スライダーが固定的に接続され、左側の前記第三スライダーの右側端面と左側の前記第四スライド溝の右側内壁との間と、右側の前記第三スライダーの左側端面と右側の前記第四スライド溝の左側内壁との間にはいずれも第二バネが設置され、前記スライドロッドの末端には上方に開口した位置制限溝が固定的に設けられ、前記位置制限溝の頂端には第五スライド溝が連通して設けられ、前記第五スライド溝の中には第四スライダーがスライドできるように設けられ、前記第四スライダーが前記位置制限溝の内部に伸びており、前記第四スライダーと前記第二スライダーとの間には液圧パイプが伝動できるように設けられ、したがって、マスクを広げ、扇形ブレードを回転連動させ、扇形ブレードはソフト袋を切り、染色剤が流れ出すことを特徴とする廃棄に便利な使い捨てマスク。
【請求項２】
前記固定ブロックの底端には下方に開口した染色溝が設けられ、前記染色溝と前記回転チャンバとの間には通し溝が連通し、前記通し溝のうち前記固定軸の中心に近接する側には第六スライド溝が設けられ、第六スライド溝が前記第一スライド溝と連通し、前記第六スライド溝の中には凸ロッドがスライドできるように設けられ、前記凸ロッドと前記第六スライド溝の底面との間には第三バネが固定的に接続され、前記スライドロッドの底端には下方に開口した凹溝が設けられ、前記凸ロッドは前記凹溝の中に伸びており、マスクが再び折り畳まれ、凸ロッドは凹溝の中に伸びることができ、そしてマスクは折り畳まれた位置に位置決めされることを特徴とする請求項１に記載の廃棄に便利な使い捨てマスク。
【請求項３】
前記第二スライド溝の片側には塩酸袋が固定的に設けられ、前記塩酸袋の底端には染色溝と連通した針孔が設けられ、前記針孔の片側には第七スライド溝が連通して設けられ、前記第七スライド溝の中には第五スライダーがスライドできるように設けられ、前記第五スライダーが前記針孔の中に伸びており、第五スライダーの一端には針管が固定的に設けられ、前記第五スライダーと前記第七スライド溝の上端壁との間には第四バネが固定的に接続され、したがって、折り畳み位置で再び内側に折り畳まれたとき、スライドロッドは針管を閉じず、針管は塩酸袋を上方に突き刺すことを特徴とする請求項１に記載の廃棄に便利な使い捨てマスク。
【手続補正２】
【補正対象書類名】明細書
【補正対象項目名】全文
【補正方法】変更
【補正の内容】
【発明の詳細な説明】
【技術分野】
【０００１】
本発明は防護用品分野を取り上げて、具体的には廃棄に便利な使い捨てマスクである。
【背景技術】
【０００２】
病院の集中治療室などで、マスクを使っている患者のほとんどが深刻な病気にかかっているため、使用したマスクを普通の患者のと区別して、単独で２回消毒などの操作を行わなければならないため、簡単な区分とマークが必要である；また、不法者がマスク内の裏地を回収するのを防ぐため、マスクに簡単な自壊機能を持たせる必要がある；したがって、廃棄に便利な使い捨てマスクをデザインして上記の問題を解決する必要があります。
【先行技術文献】
【特許文献】
【０００３】
【特許文献１】中国特許出願公開第１０８１３５２９９号明細書
【発明の概要】
【発明が解決しようとする課題】
【０００４】
本発明の解決すべきの問題は廃棄に便利な使い捨てマスクを提供し、上記の現有技術の欠点を解決する。
【課題を解決するための手段】
【０００５】
本発明の廃棄に便利な使い捨てマスクは、染色層を含み、前記染色層の頂端には固定ブロックが左右対称的に固定的に設けられ、前記染色層の底端にはフィルタリング層が固定的に設けられ、前記フィルタリング層の底端には裏付きが固定的に設けられ、前記フィルタリング層の両端には耳紐が固定的に設けられ、前記染色層と前記フィルタリング層の中には上方に開口した第一空きチャンバが設けられ、前記第一空きチャンバの前後には固定軸が固定的に設けられ、前記固定軸には円環が前後対称的に回転できるように設けられ、後端の前記円環と左端の前記固定ブロックとの間には第一サポートロッドが固定的に接続され、前端の前記円環と右端の前記固定ブロックとの間には第二サポートロッドが固定的に接続され、前記円環の間には歯車が設けられ、前記歯車が前記第一空きチャンバから差し出ており、前記固定ブロックの中には第一スライド溝が設けられ、前記第一スライド溝のうち前記固定軸の中心に近接する側には第二空きチャンバが連通して設けられ、前記第二空きチャンバが前記第一空きチャンバと連通し、前記第一スライド溝中にはスライドロッドがスライドできるように設けられ、前記スライドロッドの底端には前記歯車と噛み合うラックが固定的に設けられ、前記第一スライド溝の頂端には第二スライド溝が連通して設けられ、前記第二スライド溝の中には第一スライダーがスライドできるように設けられ、第一スライダーと前記スライドロッドが固定的に接続され、左側の前記第一スライダーの右側端面と左側の前記第二スライド溝の右側内壁との間と、右側の前記第一スライダーの左側内壁と前記第二スライド溝の左側内壁との間にはいずれも第一バネが設置され、前記固定ブロックにおいて前記第一スライド溝の末端には回転チャンバが連通して設けられ、前記回転チャンバの中には回転軸が回転できるように設けられ、前記回転軸と前記回転チャンバの後側端面との間にはトーションバネが固定的に接続され、前記回転軸には円盤と糸巻き車が固定的に設けられ、前記糸巻き車と前記スライドロッドとの間には鋼線が接続され、前記円盤には扇形ブレードが固定的に設けられ、前記回転チャンバの頂端には第三空きチャンバが連通して設けられ、第三空きチャンバの頂端にはソフト袋が固定的に設けられ、前記第三空きチャンバの右端には第三スライド溝が連通して設けられ、前記第三スライド溝の中には第二スライダーがスライドできるように設けられ、前記第二スライダーと前記ソフト袋との間には染色剤が設置され、前記第三スライド溝の底端には第四スライド溝が連通して設けられ、前記第四スライド溝の中には第三スライダーがスライドできるように設けられ、前記第三スライダーは前記第二スライダーが固定的に接続され、左側の前記第三スライダーの右側端面と左側の前記第四スライド溝の右側内壁との間と、右側の前記第三スライダーの左側端面と右側の前記第四スライド溝の左側内壁との間にはいずれも第二バネが設置され、前記スライドロッドの末端には上方に開口した位置制限溝が固定的に設けられ、前記位置制限溝の頂端には第五スライド溝が連通して設けられ、前記第五スライド溝の中には第四スライダーがスライドできるように設けられ、前記第四スライダーが前記位置制限溝の内部に伸びており、前記第四スライダーと前記第二スライダーとの間には液圧パイプが伝動できるように設けられる。
【０００６】
有益的には前記固定ブロックの底端には下方に開口した染色溝が設けられ、前記染色溝と前記回転チャンバとの間には通し溝が連通し、前記通し溝のうち前記固定軸の中心に近接する側には第六スライド溝が設けられ、第六スライド溝が前記第一スライド溝と連通し、前記第六スライド溝の中には凸ロッドがスライドできるように設けられ、前記凸ロッドと前記第六スライド溝の底面との間には第三バネが固定的に接続され、前記スライドロッドの底端には下方に開口した凹溝が設けられ、前記凸ロッドは前記凹溝の中に伸びることができる。
【０００７】
有益的には前記第二スライド溝の片側には塩酸袋が固定的に設けられ、前記塩酸袋の底端には染色溝と連通した針孔が設けられ、前記針孔の片側には第七スライド溝が連通して設けられ、前記第七スライド溝の中には第五スライダーがスライドできるように設けられ、前記第五スライダーが前記針孔の中に伸びており、第五スライダーの一端には針管が固定的に設けられ、前記第五スライダーと前記第七スライド溝の上端壁との間には第四バネが固定的に接続される。
【発明の効果】
【０００８】
本発明の有益な効果は下記の通りである：
【０００９】
本発明の廃棄に便利な使い捨てマスクは操作が簡単で明らかで、反応が鋭敏で、安全で信頼性があり、同時に、本発明の装置は機能が多様で、効果が顕著であり、実用性が強い。
【図面の簡単な説明】
【００１０】
説明しやすいため、本発明は以下の具体的な実施例と付図を交え詳しく説明する。
【００１１】
【図１】図１は本発明の廃棄に便利な使い捨てマスクの全体結構模式図であり；
【図２】図２は図１の俯瞰結構模式図であり；
【図３】図３は図１の「Ａ」の拡大結構模式図であり；
【発明を実施するための形態】
【００１２】
以下に図１−３を交えて本発明について詳しく説明し、便利に叙述するため、現在は後文に出る方位を下記の通りに規定する：後文に出る上下左右前後方向は図１本体の投影関係の上下左右前後方向と一致する。
【００１３】
図１−３に示すように、本発明の廃棄に便利な使い捨てマスクは、染色層１２を含み、前記染色層１２の頂端には固定ブロック１０が左右対称的に固定的に設けられ、前記染色層１２の底端にはフィルタリング層１３が固定的に設けられ、前記フィルタリング層１３の底端には裏付き１４が固定的に設けられ、前記フィルタリング層１３の両端には耳紐１１が固定的に設けられ、前記染色層１２と前記フィルタリング層１３の中には上方に開口した第一空きチャンバ５７が設けられ、前記第一空きチャンバ５７の前後には固定軸１７が固定的に設けられ、前記固定軸１７には円環５５が前後対称的に回転できるように設けられ、後端の前記円環５５と左端の前記固定ブロック１０との間には第一サポートロッド５６が固定的に接続され、前端の前記円環５５と右端の前記固定ブロック１０との間に第二サポートロッド５８が固定的に接続され、前記円環５５の間には歯車１８が設けられ、前記歯車１８が前記第一空きチャンバ５７から差し出ており、前記固定ブロック１０の中には第一スライド溝４９が設けられ、前記第一スライド溝４９のうち前記固定軸１７の中心に近接する側には第二空きチャンバ１９が連通して設けられ、前記第二空きチャンバ１９が前記第一空きチャンバ５７と連通し、前記第一スライド溝４９中にはスライドロッド１５がスライドできるように設けられ、前記スライドロッド１５の底端には前記歯車１８と噛み合うラック１６が固定的に設けられ、前記第一スライド溝４９の頂端には第二スライド溝３７が連通して設けられ、前記第二スライド溝３７の中には第一スライダー３５がスライドできるように設けられ、第一スライダー３５と前記スライドロッド１５が固定的に接続され、左側の前記第一スライダー３５の右側端面と左側の前記第二スライド溝３７の右側内壁との間と、右側の前記第一スライダー３５の左側内壁と前記第二スライド溝３７の左側内壁との間にはいずれも第一バネ３６が設置され、前記固定ブロック１０において前記第一スライド溝４９の末端には回転チャンバ４２が連通して設けられ、前記回転チャンバ４２の中には回転軸４８が回転できるように設けられ、前記回転軸４８と前記回転チャンバ４２の後側端面との間にはトーションバネ４５が固定的に接続され、前記回転軸４８には円盤４３と糸巻き車４４が固定的に設けられ、前記糸巻き車４４と前記スライドロッド１５との間には鋼線４７が接続され、前記円盤４３には扇形ブレード４０が固定的に設けられ、前記回転チャンバ４２の頂端には第三空きチャンバ４１が連通して設けられ、第三空きチャンバ４１の頂端にはソフト袋３８が固定的に設けられ、前記第三空きチャンバ４１の右端には第三スライド溝５４が連通して設けられ、前記第三スライド溝５４の中には第二スライダー５３がスライドできるように設けられ、前記第二スライダー５３と前記ソフト袋３８との間には染色剤３９が設置され、前記第三スライド溝５４の底端には第四スライド溝５０が連通して設けられ、前記第四スライド溝５０の中には第三スライダー５１がスライドできるように設けられ、前記第三スライダー５１は前記第二スライダー５３が固定的に接続され、左側の前記第三スライダー５１の右側端面と左側の前記第四スライド溝５０の右側内壁との間と、右側の前記第三スライダー５１の左側端面と右側の前記第四スライド溝５０の左側内壁との間にはいずれも第二バネ５２が設置され、前記スライドロッド１５の末端には上方に開口した位置制限溝３０が固定的に設けられ、前記位置制限溝３０の頂端には第五スライド溝３１が連通して設けられ、前記第五スライド溝３１の中には第四スライダー３２がスライドできるように設けられ、前記第四スライダー３２が前記位置制限溝３０の内部に伸びており、前記第四スライダー３２と前記第二スライダー５３との間には液圧パイプ３３が伝動できるように設けられる。
【００１４】
有益的には前記固定ブロック１０の底端には下方に開口した染色溝２５が設けられ、前記染色溝２５と前記回転チャンバ４２との間には通し溝４６が連通し、前記通し溝４６のうち前記固定軸１７の中心に近接する側には第六スライド溝２６が設けられ、第六スライド溝２６が前記第一スライド溝４９と連通し、前記第六スライド溝２６の中には凸ロッド２８がスライドできるように設けられ、前記凸ロッド２８と前記第六スライド溝２６の底面との間には第三バネ２７が固定的に接続され、前記スライドロッド１５の底端には下方に開口した凹溝２９が設けられ、前記凸ロッド２８は前記凹溝２９の中に伸びることができる。
【００１５】
有益的には前記第二スライド溝３７の片側には塩酸袋３４が固定的に設けられ、前記塩酸袋３４の底端には染色溝２５と連通した針孔２０が設けられ、前記針孔２０の片側には第七スライド溝２４が連通して設けられ、前記第七スライド溝２４の中には第五スライダー２２がスライドできるように設けられ、前記第五スライダー２２が前記針孔２０の中に伸びており、第五スライダー２２の一端には針管２１が固定的に設けられ、前記第五スライダー２２と前記第七スライド溝２４の上端壁との間には第四バネ２３が固定的に接続される。
【００１６】
次は、図１−３および上記に記述された本願発明の簡単な破棄された使い捨てマスクの具体的な構成を参考にし、その使用方法を詳しく紹介する。
【００１７】
まず、初期状態では、左右対称的な固定ブロック１０が縦且つ平行な状態にあり、スライドロッド１５は第一スライド溝４９から差し出ており、マスクは折り畳み状態にある。
【００１８】
使い捨てマスクを使うとき、マスクを広げると、固定ブロック１０が互いに接近して接触し、ラック１６は歯車１８の外周に沿って回転し、歯車１８がラック１６を第一スライド溝４９の中に収縮させ、ラック１６はスライドロッド１５を連動させて第一スライド溝４９の中に縮ませ、第一スライド溝４９が鋼線４７を引っ張らなくなり、回転軸４８はトーションバネ４５によって回転し始め、回転軸４８は円盤４３を回転連動させ、円盤４３は扇形ブレード４０を回転連動させ、扇形ブレード４０が回転してソフト袋３８を切り込み、ソフト袋３８が切られて破った後、染色剤３９が流れ出て通し溝を通して染色槽２５に流れ込み、染色溝２５における染色剤３９が染色層１２に進入して染色し、それと同時に、染色剤３９が流れ出た後、第二スライダー５３は第二バネ５２の弾力によってスライドし、第二スライダー５３は液圧パイプ３３を通して第四スライダー３２を連動させて第五スライド溝の中に縮ませ、制限溝３０と第四スライダー３２はスライドロッド１５のスライド範囲を制限しなくなる。
【００１９】
しばらく使い捨てマスクを使わないときは、スライドロッド１５が第一スライド溝４９から差出て、凹溝２９は第六スライド溝２６と連通し、凸ロッド２８は凹溝２９の中に伸びており、スライドロッド１５は針孔２０を封閉し、使い捨てマスクは折りたたみ状態です。
【００２０】
使い捨てマスクを捨てる時は、マスクは一回広げられていたため、位置制限溝３０と第四スライダー３２はスライダー１５のスライド範囲を制限しなくなり、折りたたみ状態のマスクが再び内に向いて折り畳まれる時、スライドロッド１５は第三バネ２７を第六スライド溝２６の内に押し込み、スライドロッド１５は外により多くな距離を差し出て、スライドロッド１５は針孔２０を封閉しなくなり、  針管２１は第四バネ２３の弾性力によって上へスライドし、針管２１が塩酸袋３４を突き破り、希塩酸は針孔２０と染色溝２５を通して染色層１２とフィルタリング層１３の中に入り、簡単な消毒と破棄を行う。
【００２１】
上記のように、本発明の廃棄に便利な使い捨てマスクは操作が簡単で明らかで、反応が鋭敏で、安全で信頼性があり、同時に、本発明の装置は機能が多様で、効果が顕著であり、実用性が強い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。